(57)【要約】  回転性プラグ組立品用支持ブロックは、基部と、基部から外側へと延在する電源プラグ用ピンを含む。基部からは、中間壁が延在する。中間壁にはキャップがヒンジ付きで取り付けられ、キャップは開位置と閉位置との間を移動することができる。中間壁からは側壁が延在し、側壁に配置される少なくとも一つの切欠きを有する。支持ブロックには、少なくとも一つの配線が接続され、配線は少なくとも一つの切欠きを通って延在する。キャップは、閉位置のとき、少なくとも一つの切欠き内部にある少なくとも一つの配線を固定して保持する。
2014513403.tif 000002
【特許請求の範囲】
【請求項１】
基部および前記基部から外側に延在する電源プラグ用ピンと、
前記基部から延在し、さらに、前記基部にヒンジ付きで取り付けられて開位置と閉位置との間を移動できるキャップを含む中間壁と、
前記中間壁から延在する側壁であって、前記側壁に配置される少なくとも一つの切欠きと、
支持ブロックに接続され、少なくとも一つの前記切欠きを通って延在する少なくとも一つの配線と、を有し、閉位置のときに前記キャップが、少なくとも一つの前記切欠き内部にある少なくとも一つの前記配線を固定して保持する、回転性プラグ組立品用支持ブロック。
【請求項２】
前記支持ブロックが、前記電源プラグ用ピンが縦向きの方法で向きを定められる第１位置から、前記電源プラグ用ピンが横向きの方法で向きを定められる第２位置へと回転可能な、請求項１に記載の回転性プラグ組立品。
【請求項３】
前記キャップが前記中間壁と一体となっている、請求項１に記載の回転性プラグ組立品。
【請求項４】
前記キャップが前記キャップから延在するリブを含み、前記キャップが閉位置にあるときに、少なくとも一つの前記切欠き内部にある少なくとも一つの前記配線を固定して保持するために、前記リブが少なくとも一つの前記配線と物理的に接している、請求項１に記載の回転性プラグ組立品。
【請求項５】
少なくとも一つの前記切欠きが前記側壁の上端に配置される、請求項１に記載の回転性プラグ組立品。
【請求項６】
圧着端子が前記基部上に設けられ、前記圧着端子に取り付けられる前記配線の第１端部を支持するよう構成される、請求項１に記載の回転性プラグ組立品。
【請求項７】
第１および第２配線を受けるために、第１および第２切欠きが前記側壁の内部にそれぞれ設けられる、請求項１に記載の回転性プラグ組立品。
【請求項８】
チャンバを間に形成し容器を受けるための前面および後面と、
前記後面の開口部内に回転できるように保持され、緩衝部材および少なくとも一つの切欠きが配置された側壁を含む支持ブロックと、
前記支持ブロックに接続され、少なくとも一つの前記切欠きを通って延在する少なくとも一つの配線と、を有し、前記緩衝部材が少なくとも一つの前記切欠きの内部にある少なくとも一つの前記配線を固定して保持する、揮発性物質ディスペンサ用ハウジング。
【請求項９】
前記緩衝部材が、前記支持ブロックに取り付けられるキャップ上に配置される、請求項８に記載のハウジング。
【請求項１０】
前記キャップが、ヒンジによって前記支持ブロックに取り付けられる、請求項９に記載のハウジング。
【請求項１１】
前記緩衝部材が、リブの形で設けられる、請求項８に記載のハウジング。
【請求項１２】
前記支持ブロックが第１位置から第２位置へと回転するとき、回転張力が前記リブを横切って消散される、請求項１１に記載のハウジング。
【請求項１３】
少なくとも一つの前記配線上にある前記回転張力が、少なくとも一つの前記配線の圧着端子に近接した少なくとも一つの前記配線に生じる前記回転張力と比較して、前記リブが少なくとも一つの前記配線に接する箇所に近接した位置で大きくなっている、請求項１２に記載のハウジング。
【請求項１４】
前記支持ブロックに電気的に接続される加熱器の形をする加熱素子をさらに含む、請求項８に記載のハウジング。
【請求項１５】
中に揮発性物質を有する容器と、
前記容器を取り外しできるように保持するよう構成されたハウジングと、
前記ハウジングの内部に回転できるように配置される支持ブロックおよびプラグ組立品と、を有し、
前記支持ブロックが、基部と前記基部に取り付けられるキャップとを含み、
前記基部が、中に配置される少なくとも一つの切欠きを有する側壁を含み、
前記キャップが、前記キャップから延在する緩衝部材を含むことを特徴とする揮発性物質ディスペンサ。
【請求項１６】
少なくとも前記容器の内部の一部に配置され、揮発性物質と接する吸い上げ芯をさらに含む、請求項１５に記載の揮発性物質ディスペンサ。
【請求項１７】
前記ハウジングの内部に配置され、少なくとも一つの配線とともに回転性プラグ組立品に電気的に接続される加熱器の形の加熱素子をさらに含む、請求項１６に記載の揮発性物質ディスペンサ。
【請求項１８】
前記容器が前記ハウジングの内部に配置されるとき、加熱器が吸い上げ芯の一部に近接して配置される、請求項１７に記載の揮発性物質ディスペンサ。
【請求項１９】
前記キャップの緩衝部材が、少なくとも一つの切欠き内部を同様に保持するために、少なくとも一つの前記配線に接する、請求項１７に記載の揮発性物質ディスペンサ。
【請求項２０】
回転性プラグ組立品が第１位置から第２位置へと回転するとき、回転張力が緩衝部材を横切って消散される、請求項１９に記載の揮発性物質ディスペンサ。
【発明の詳細な説明】
【技術分野】
【０００１】
［関連する出願の参照］
該当なし
【０００２】
［連邦政府による資金提供を受けた研究開発の記載］
該当なし
【０００３】
［シーケンスリストの参照］
該当なし
【０００４】
本発明は、一般に、回転式電気プラグ組立品、特に、揮発性物質ディスペンサで使用するための回転式電気プラグ組立品に関する。
【背景技術】
【０００５】
先行技術では、さまざまな揮発性物質ディスペンサが知られており、通常は中に詰替品（refill）が挿入されたハウジング（housing）を含む。詰替品は通常、中に揮発性物質を収容した容器（container）を含む。ディスペンサには、そこから揮発性物質を受動的に放出（passively emitted）するものがある。その他のディスペンサの中には、揮発性物質のディスペンス（dispensing）を容易にするために、何らかの拡散素子が利用されるものがある。拡散素子には、加熱器（heater）、圧電素子（piezoelectric element）、ファン、エアゾール作動装置といった例が含まれる。揮発性物質が放出される方法に拘わらず、いったん揮発性物質が詰替品から出て使い切られてしまうと、詰替品は利用者によって取り外されて新しい詰替品と交換される。
【０００６】
揮発性物質ディスペンサにおける一様式、すなわち、本発明でプラグ差し込み式の香油ディスペンサ（plug-in scented oil dispenser）と呼ばれるものは、ハウジングと、ハウジング内部に配置される加熱器とを含む。プラグ差し込み式の香油ディスペンサと一緒に使う詰替品は通常、吸い上げ芯（wick）を有する容器と、容器内に配置される揮発性物質とを含む。詰替品がディスペンサに挿入される状態だと、少なくとも吸い上げ芯の一部が、加熱器に近接して配置され、その結果、吸い上げ芯を通って移動する揮発性物質は加熱器によって揮発される。揮発性物質ディスペンサは普通、ハウジングから外部へ延在する電源プラグ端子（electrical prongs）を有するプラグ組立品（plug assembly）を含む。電源プラグ端子は、一般的なコンセントに挿入され、電気エネルギーを揮発性物質ディスペンサに供給する。
【発明の概要】
【発明が解決しようとする課題】
【０００７】
そのため、例えば先述したプラグ差し込み式の香油ディスペンサといった、揮発性物質ディスペンサおよび詰替品の多くにおける不利な点の一つとして、コンセントに対して、向きが一方向にしか定まらない揮発性物質ディスペンサに適合するように、プラグ組立品および電源プラグ端子の向きが定められることが挙げられる。例えば、揮発性物質ディスペンサに関して電源プラグ端子が縦向きであれば、揮発性物質ディスペンサの利用者は、ディスペンサを直立させた方法で縦向きに定められたコンセントにしか挿入できない。利用者は揮発性物質ディスペンサを横向きの方法に回転させ、揮発性物質ディスペンサを横向きに定められたコンセントに挿入しなくてはならない。この方法でディスペンサを回転させることは、数多くの理由から好ましいとは言えず、そのような理由には少なくとも、揮発性物質がディスペンサから漏れる可能性があること、および／または、ディスペンサが横向きの位置に配置されれば、揮発性物質が吸い上げ芯と接触できなくなってしまうということも含まれる。
【０００８】
回転式プラグ組立品（rotating plug assembly）の形に関する前述の問題を改善すべく、解決方法が試みられており、その解決方法は、プラグ組立品上の電源プラグ端子を縦向きに定められた位置から横向きに定められた位置へと回転できるものである。そのため、利用者は、プラグ組立品を所望の向きに調整してもよく、それにより、電気エネルギーを受けながらも揮発性物質ディスペンサを直立のままにすることができる。しかしながら、本発明における装置がそのような組立品を利用し、プラグ組立品が連続して回転することで、問題をさらに引き起こす。具体的にいうと、回転する間に、プラグ組立品における構成部分のあちこちで張力（strain）が生じ、プラグ組立品の部品において、時間の経過にともなう疲労（fatigue）の原因となる。疲労により、プラグ組立品内で配線にゆるみを引き起こし、その結果、プラグ組立品と配線との間の接続箇所が不安定となり、揮発性物質ディスペンサが動かなくなりかねない。
【課題を解決するための手段】
【０００９】
本発明の一態様によると、回転性プラグ組立品用支持ブロック（support block）は、基部と基部から外側へと延在する電源プラグ用ピンとを含む。基部からは、中間壁が延在する。中間壁には、キャップがヒンジ付きで取り付けられ、開位置と閉位置との間を移動できる。中間壁からは側壁が延在し、側壁に配置された少なくとも一つの切欠きを有する。支持ブロックには少なくとも一つの配線が接続され、少なくとも一つの切欠きを通って延在する。キャップは、閉位置にあるとき、少なくとも一つの切欠きの内部にある少なくとも一つの配線を固定して保持する。
【００１０】
本発明における異なる態様では、揮発性物質ディスペンサ用ハウジングは、間にチャンバを形成し容器を受けるための前面と後面とを含む。後面の開口部内には、支持ブロックが回転できるように保持される。支持ブロックは、緩衝部材と、少なくとも一つの切欠きを配置する側壁とを含む。支持ブロックには少なくとも一つの配線が接続され、少なくとも一つの切欠きを通って延在する。緩衝部材は、少なくとも一つの切欠きの内部にある少なくとも一つの配線を固定して保持する。
【００１１】
本発明におけるさらに別の態様では、揮発性物質ディスペンサは、揮発性物質を中に収容した容器と、容器を取り外しできるように保持するよう構成されたハウジングとを含む。支持ブロックおよびプラグ組立品は、ハウジング内部に回転できるように配置される。支持ブロックは、基部と、支持ブロックに取り付けられるキャップとを含む。基部は、少なくとも一つの切欠きを配置する側壁を含み、キャップは、キャップから延在する緩衝部材を含む。
【図面の簡単な説明】
【００１２】
【図１】ハウジング内部に配置される容器を有する揮発性物質ディスペンサにおける正面等角図である。
【図２】図１の容器における正面等角図である。
【図３】図１のハウジングにおける側面等角図である。
【図４】図１のハウジングにおいて、支持ブロックを取り外した後面等角分解図である。
【図５】図１のハウジングにおいて、第１位置にある電気プラグ組立品を有する後面等角図である。
【図６】図１のハウジングにおいて、第２位置にある電気プラグ組立品を有する後面等角図である。
【図７】図５の電気プラグ組立品における頂部等角図である。
【図８】図７の電気プラグ組立品における側面等角図である。
【図９】図５の電気プラグ組立品において、開位置にあるキャップと、電気プラグ組立品から延在し加熱器で終端となる配線とをさらに示す、頂部等角図である。
【図１０】図９の電気プラグ組立品において、キャップが閉位置にある平面図である。
【図１１】図１０の電気プラグ組立品において、図１０における線１１−１１に沿って切った断面図である。
【００１３】
本発明におけるその他各種の態様および利点は、以下の詳細な説明を検討することにより明らかとなるものであろう。なお、説明における類似の構造には、同一の符号が付してある。
【発明を実施するための形態】
【００１４】
本発明は、揮発性物質ディスペンサ用の電気プラグ組立品に関するものである。本発明は数多くの異なる形態で実施されてもよいが、本発明が今回の発明の原理を例示的に示すにとどまるよう考えられるべきであり、説明する各実施形態に本発明が制限されるものではないと理解することを前提に、具体的な実施形態の数々が本明細書で説明される。
【００１５】
図面を参照すると、図１は、揮発性物質５４をともなう容器５２を中に有し、ハウジング５６によって保持されるように構成された揮発性物質ディスペンサ５０を図示する。図２で最もよくわかるように、容器５２は、容器５２内部の吸い上げ芯６０を収容した保持機構（retaining mechanism）５８を含む。容器５２は、揮発性物質５４が中に配置される本体６２を含む。本体（body）６２は、底部（base portion）６４と、向かい合った第１側壁（sidewall）６６ａおよび第２側壁６６ｂを含む。側壁６６ａと６６ｂはそれぞれ、第１頂壁（top wall）６８ａと第２頂壁６８ｂに向かって内向きに曲がる前に、上方および外部へと延在する。第１頂壁６８ａおよび第２頂壁６８ｂは、ネック（neck）７０と一体化している。同様に、向かい合った第３正面壁（front wall）７２ａおよび第４後面壁（rear wall）７２ｂはそれぞれ、ネック７０に向かって上方へと曲がっている。
【００１６】
ネック７０は、ネック７０の外面に配置されるねじ部７４、およびネック７０の頂部を通して配置される開口部（図示せず）を含み、その開口部によって、揮発性物質５４を取り出せるようにすることができる。容器５２はさらに、向かい合った第３正面壁７２ａと第４後面壁７２ｂとのうち一つまたはそれ以上から外部へと延在する隆起部（raised portion）７６を任意で含む。本実施形態では、隆起部７６は、貝の形を逆さまにした部材となっている。特定の容器５２が詳細に説明されているが、いかなる様式の容器であっても、本明細書で説明する電気プラグ組立品とともに使われてもよい。例えば、本発明にとって有益となる容器は、２００３年３月２１日に出願された米国特許第７，０３２，８３１号に開示されている容器、および２０１０年１２月１５日に出願された米国特許出願第１２／９６９２６１号に開示されている容器を含み、両発明とも本発明と同一の権利者に付与されている。
【００１７】
容器５２に配置される揮発性物質５４は、周囲にディスペンスするよう構成された任意の様式の揮発性物質であってもよい。例えば、容器５２は、クリーナー、殺虫剤、防虫剤、昆虫誘引剤、殺菌剤、カビ抑制剤、香料、殺菌剤、空気清浄機、アロマセラピー用芳香剤、防腐剤、臭気除去剤、能動的に香りを発する揮発性物質、空気清浄スプレー、防臭剤など、およびこれらの組み合わせたものを含んでもよい。揮発性物質には添加剤、例えば、香料、および／または防腐剤が含まれていてもよい。
【００１８】
図１および図３を参照すると、揮発性物質ディスペンサ５０のハウジング５６は、曲線に囲まれた後面９２に取り付けられ、わずかに曲がった前面９０を含み、前面９０と後面９２との間にチャンバ（chamber）９４を形成する（図３を参照）。容器５２は、その吸い上げ芯６０をチャンバ９４内の上方へと挿入することにより、ハウジング５６内に挿入される。容器５２は、スナップフィット（snap-fit）による接続、ねじ山の相互組合せ（threaded interaction）などを含む、従来技術で知られる手段により、ハウジング５６内に保持される。吸い上げ芯５６の一部は、ハウジング５６内に配置される加熱器９６（図４を参照）に近接して配置されることが好ましい。ハウジング５６の前面９０は、開口部９８を任意で含み、その開口部９８を通って調節用機構（control mechanism）１００が部分的に延在する。本実施形態では、調節用機構１００は、揮発性物質ディスペンサ５０の操作用パラメータを制御するよう構成された回転性ダイヤル（rotatable dial）を備える。
【００１９】
図３および図４で最もよくわかるように、ハウジング５６の後面９２は、そこから外部へと延在する球根状の下部端（bulbous lower end）１１０を含む。下部端１１０は、電気プラグ組立品１１６用の基部を備える支持ブロック１１４を受けるよう構成されており、環状の開口部１１２を含む。２つの塞止用フランジ（stop flange）１１８（一つだけ図示）および二つの塞止用部材（stop member）１２０（一つだけ図示）は、内側にある側壁１２２上に備えられ、それにより開口部１１２の一部を定義する。塞止用部材１２０は、支持ブロック１１４上に設置されて対応するフランジ１２４（図７〜図１０を参照）と交わる溝を複数含み、第１または第２位置のうちどちらかにあるとき（図５および６を参照）、電気プラグ組立品１１６が偶発的に回転するのを防ぐ。支持ブロック１１４は、変形しやすいタブ、もしくはその他各種任意の従来取り付け手段によって固定され、それにより支持ブロック１１４が開口部１１２の内部に固定して保持されてもよい（図示せず）。
【００２０】
容器５２がハウジング５６の中に挿入されると（図１を参照）、吸い上げ芯６０の頂部は、吸い上げ芯６０の一部が加熱器９６と近接して配置されるように、チャンバ９４を通って上方へと延在する。容器５２は、従来技術で知られる方法によって、ハウジング５６内部に取り外しできるように保持される。加熱器９６に関連した吸い上げ芯６０が適切な位置に置かれることによって、加熱器または加熱素子から発生した熱が、吸い上げ芯６０を通って吸い上げられる揮発性物質５４を蒸散させるのに役立ち、揮発性物質をまわりの空気中に放出できる。
【００２１】
図５および６で示されているとおり、支持ブロック１１４は、電源プラグ用ピン１３２と平行の軸線１３０を中心として、第１位置（図５を参照）から第２位置（図６を参照）へとおよそ９０度回転できる。このように回転できることで、吸い上げ芯６０が接地面に対しておよそ垂直となるように、揮発性物質ディスペンサ５０を従来の電源用コンセントにプラグを差し込むことができる。図７および８で最もよくわかるように、電源プラグ用ピン１３２は、支持ブロック１１４の段付環状面（stepped circular surface）１４０から外部へと延在する。段付環状面１４０は、基部（base）１４２と中間環状壁（medial circular wall）１４４とを含む。基部１４２においては、そこからピン１３２が外側へと延在し、中間環状壁１４４は、そこと一体化して取り付けられる基部１４２と比べて、わずかに円周が大きい。中間壁１４４は、壁１４４のエッジ１４８内に配置される切欠き（notch）１４６によって切り取られ（図９を参照）、切欠き１４６から離れたところにありエッジ１４８から外部へと張り出す塞止用部材１５０をさらに含む。塞止用部材１５０は、ハウジング５６の内側にある頂部フランジ１１８と交わって（図４を参照）、第１位置と第２位置との間で支持ブロック１１４が回転しすぎるのを防ぐ。
【００２２】
図７および８で最もよくわかるように、概して環状の側壁１６０は、中間壁１４４のエッジ１４８と間隔が空けられており、そこから上方へと延在する。側壁１６０は、以下さらに詳しく説明するように、電気プラグ組立品１１６のさまざまな部分をふくむよう構成される区画部（compartment）１６４を定義する。側壁１６０は、中間壁１６０の大部分を環状に囲んで延在し支持壁（support wall）１６８で終端となる第１弓形部分１６６を含む。支持壁１６８は、側壁１６０の第１弓形部分（segment）１６６よりも高さのある構成要素を有する。支持壁１６８は、区画部１６４を封入するよう構成された一体型キャップ１７０における取付箇所の役割を果たす。
【００２３】
キャップ１７０は、支持壁１６８にヒンジ付きで取り付けられており（hingedly attached）、底部から延在する緩衝部材を有する底部１７２を含む。一実施形態では、緩衝部材は、半円状リブ（semi-circular rib）１７４の形で設けられる。異なる実施形態では、緩衝部材が、以下さらに詳しく説明するように、支持ブロック１１４の一部に作用する回転力（rotational force）を拡散する機能を備えていれば、キャップ１７０および／または支持ブロック１１４におけるその他の部分から延在する緩衝部材は、任意の形状および／または大きさでもよい。本実施形態では、リブ１７４は、底部１７２の周辺部を部分的に囲んで延在し、リブ１７４の長さにわたる平上面部（flat upper surface）１７６を含む。リブ１７４は、電気プラグ組立品１１６の固定部分を補助するような方法で構成され、それにより、電気プラグ組立品１１６に作用する回転力がリブ１７４を通って分散される。キャップ１７０はさらに、オリフィス（orifice）１８０を中に有するともにキャップ１７０の端部１８２に配置される円筒形の側壁１７８を含む。側壁１７８は、中間壁１４４上に配置され、そこから上方に延在する対応する突出部（projection）１８４と交わる（interact with）よう構成される。キャップ１７０は、矢印Ａで示されるとおりの方法で、ヒンジ付きの取付箇所１８６を軸として回転することによって、取り外しのきくように中間壁１４４に固定される（図９を参照）。回転したあと、突出部１８４は、側壁１７８のオリフィス１８０に挿入され、キャップ１７０を突出部１８４に固定する。
【００２４】
図７〜図９を参照すると、半円状側壁（semi-circular sidewall）１９０は、支持壁１６８から外部へと延在し、側壁１９０の頂部エッジ（top edge）１９４に配置される少なくとも一つの切欠き１９２を含む。本実施形態では、二つの切欠き１９２が示されている。しかしながら、側壁１９０には、任意の数の切欠きが含まれてもよい。切欠き１９２は各々、少なくとも一つの配線１９８用の支持面として役割を果たす丸形エッジ（rounded edge）１９６を含む。本実施形態では、二つの配線１９８が設けられており、第１端部２００で接続されてチャンバ１６４内部に配置される圧着端子２０２につながっている。配線１９８は、チャンバ１６４内部の中央に配置されるピンブリッジ２０４に近接して配置されて、揮発性物質ディスペンサ５０に供給される電力の制御を補助する。さらに、ディスペンサを作動させるにあたって用いられる、電気回路またはその他各種電子部品が含まれていてもよい。配線１９８は、圧着端子２０２から外部へと延在し、加熱器９６で終端となる前に切欠き１９２を通る。任意の数の配線または切欠きが揮発性物質システムに必要なものとして設けられてもよいが、切欠きおよび配線が等しい数で含まれることが好ましいということが明らかとなろう。
【００２５】
支持ブロック１１４およびキャップ１７０は、一体型の部分品として製造され、本明細書で説明されているようにヒンジ付きで取り付けられることが好ましい。図１０および１１で最もよくわかるように、支持ブロック１１４のキャップ１７０は、支持ブロック１１４がハウジング５６の開口部１１２に挿入される前に閉められていることが好ましい。キャップ１７０を閉めることにより、キャップ１７０の底部１７２上にあるリブ１７４の頂面１７６が、配線１９８を下方へと押し込み、側壁１９０にあく切欠き１９２に配線１９８をしっかりと固定することになる（図１１を参照）。リブ１７４と配線１９８との間にある接点は、本明細書で説明する電気プラグ組立品１１６における利点の数々を実現するにあたって重要となる。具体的にいうと、支持ブロック１１４が第１位置から（図５に示してある）第２位置（図６に示してある）へと回転すると、キャップ１７０の一部および切欠き１９２を定義する側壁１９０の一部によって押される配線１９８が、しっかりと固定する機能をもつことによって、配線１９８に作用する回転力は、キャップ１７０上のリブ１７４を通って外方に拡散する。従来のプラグ組立品では、回転力は、配線１９８の第１端部２００に作用し、それによって配線１９８が圧着端子２０２でゆるみを引き起こし、配線の接続箇所を不安定にする原因となる。本明細書で開示されるリブ１７４／配線１９８が交わることにより張力の軽減をもたらし、回転力が配線１９８の第１端部２００に作用するのを実質上防ぎ、それが最終的に回転能力を増すことになる。配線１９８に作用する回転力は、一つにまとめられて緩衝部材と配線１９８との間にある相互作用点で拡散され、それにより圧着端子２０２に近接した配線１９８の第１端部２００にかかる回転力が最小化する。一体型に成形されたキャップ１７０は、絶縁体となって、圧着端子２０２に流れる電気の伝導を断つ役割をも果たす。
【００２６】
本発明における詰替品用のディスペンサは、プラグ差し込み式の香油ディスペンサとともに使われるものとして説明されているが、このような詰替品が任意の様式のディスペンサで使用されてもよい。特に、本明細書で説明する詰替品で用いられるディスペンサは、当業者に周知のとおりさまざまな形態で成り立ち得る。ディスペンサはなお、ハウジング内に配置され揮発性活性成分の放出を容易にするのに役立つ、一つ以上の加熱器、ファン、および／またはその他各種構成要素を任意で含んでもよい。前述した構成要素はいずれも、本明細書で説明する方法で支持ブロックに電気的に接続されてもよい。
【００２７】
ディスペンサはさらに、ハウジング内に一つ以上の開口部を含み、揮発性物質がハウジングから周囲環境へとディスペンスされてもよい。ハウジングは、例えば、スナップ、リッジ、アンダカット、リップ、切欠き、および／またはその他各種の取付方法といった、さまざまな詰替品ボトルの固定を助けるための内部に備えるさまざまな器具を含んでもよい。ディスペンサは、一つ以上の詰替品を任意で含み、当業者に周知のさまざまな時間調節手順を使って作動させてもよい。
【００２８】
本明細書で説明する実施形態はいずれも、その他各種実施形態と関連して開示される任意の構成および方法を含むよう変更されてもよい。
【００２９】
「発明の詳細な説明」で引用された全文献は、関連事項として、その内容を本明細書に援用する。そのため、任意の文献の引用については、本発明に関連する先行技術であることを容認したと解釈されるべきではない。
【産業上の利用可能性】
【００３０】
本発明は、回転式電気プラグ組立品を有する揮発性物質ディスペンサをもたらすものである。プラグ組立品は、配線を支持するよう構成される支持ブロックに一体となって成形されるキャップを含む。配線は、切欠き内部に配置され、キャップから外方に延在するリブによって切欠きの中に入っている。リブと配線との間にある接続箇所によって、配線の端部に作用するのに反して張力が消散されることになる。
【００３１】
以上の記載を見れば、当業者には本発明に関する多くの変更が明らかとなろう。従って、本記載は、例示的なものとしてのみ解釈されるべきであり、当業者が本発明をおこない、利用することを可能とするとともに、本発明実施における最良の形態を教示することを目的として提示されている。添付の特許請求の範囲内におけるあらゆる変更に対し、独占的権利が留保されている。
【図１】
2014513403.tif 000003
【図２】
2014513403.tif 000004
【図３】
2014513403.tif 000005
【図４】
2014513403.tif 000006
【図５】
2014513403.tif 000007
【図６】
2014513403.tif 000008
【図７】
2014513403.tif 000009
【図８】
2014513403.tif 000010
【図９】
2014513403.tif 000011
【図１０】
2014513403.tif 000012
【図１１】
2014513403.tif 000013
【国際調査報告】
2014513403.tif 000014
2014513403.tif 000015